(57)【要約】【課題】スプリンクラーヘッドに設置位置を制限されずに設置対象面に設置することができる照明パネルを提供する。【解決手段】光拡散性を有するパネル前面部を有して内部に多数の光源１Ａが分散配置された偏平なパネル本体Ｐｂに、それをパネル厚み方向に沿って貫通するパネル貫通穴９が備えられ、そのパネル貫通穴９を通じて設置対象面Ｃ側のスプリンクラーヘッド１０を室内Ｒに臨ませる状態で設置対象面Ｃに設置自在に構成されている。【選択図】図３
2020187985.tif 000002
【特許請求の範囲】
【請求項１】
光拡散性を有するパネル前面部を有して内部に多数の光源が分散配置された偏平なパネル本体に、それをパネル厚み方向で貫通するパネル貫通穴が備えられ、そのパネル貫通穴を通じて設置対象面側のスプリンクラーヘッドを室内に臨ませる状態で設置対象面に設置自在に構成されている照明パネル。
【請求項２】
前記パネル本体には、外枠部と、前記外枠部で囲われた内側領域の後方を覆う後面板部と、多数の前記光源が前面に取り付けられ、前記後面板部の前面に並べて配置される複数枚の光源板と、が備えられ、
前記光源板として、設置対象面側の前記スプリンクラーヘッドを挿通自在な挿通穴が貫通形成された穴有り光源板と、前記挿通穴が貫通形成されていない穴無し光源板とが備えられている請求項１記載の照明パネル。
【請求項３】
前記パネル本体には、前記外枠部で囲われた前記内側領域の前方を覆う状態で張設された光拡散性を有する光拡散シート、及び、前記光拡散シートの前方を覆う状態で張設された光拡散性を有し且つ前記パネル前面部を構成する前面シートが、前記パネル厚み方向に間隔を空けて前記パネル厚み方向の設定位置に位置する状態で前記外枠部に取り付けられ、
前記パネル本体における前記パネル貫通穴の配置箇所には、前記光拡散シート及び前記前面シートの夫々を前記パネル厚み方向の前記設定位置に保持自在なシート保持部材が備えられている請求項２記載の照明パネル。
【請求項４】
前記外枠部、前記光拡散シート、前記前面シート、及び、前記シート保持部材が不燃材料にて構成されている請求項３記載の照明パネル。
【発明の詳細な説明】
【技術分野】
【０００１】
本発明は、例えば、天井面等の設置対象面に設置して使用される照明パネルに関する。
【背景技術】
【０００２】
本出願人は、薄型化、軽量化、省エネルギ化を実現するべく、下記特許文献１に示すように、光拡散性を有するパネル前面部を有して内部に多数の光源が分散配置された偏平なパネル本体を有する照明パネルを先に提案している。この照明パネルは、パネル本体が偏平な薄型パネルに構成されるので、設置対象面に設置用の凹部等がなくとも、室内側に圧迫間を与えることなく設置対象面に設置することができる。
【先行技術文献】
【特許文献】
【０００３】
【特許文献１】特開２０１８−７７３４５号公報
【発明の概要】
【発明が解決しようとする課題】
【０００４】
特許文献１記載の照明パネルは、上述の如く、室内側に圧迫間を与えることなく設置対象面に設置することができるので、例えば、天井面の広い範囲に設置して上方から室内を明るく照らすことが考えられる。
しかしながら、比較的大きな施設では、天井面の一定面積毎に火災時に室内側に向けて消火用水を放水するためのスプリンクラーヘッドが備えられることが多く、そのため、照明パネルを天井面に設置する際には、スプリンクラーヘッドを室内側から覆って放水機能を損なわないようにスプリンクラーヘッドを避けて設置しなければならない。よって、照明パネルの設置位置がスプリンクラーヘッドに制限されることになり、照明パネルを室内の照明に適した適切な位置に設置し難いという問題があった。
【０００５】
本発明は、上述の実情に鑑みてなされたものであって、その主たる課題は、スプリンクラーヘッドに設置位置を制限されずに設置対象面に設置することができる照明パネルを提供する点にある。
【課題を解決するための手段】
【０００６】
本発明の第１特徴構成は、光拡散性を有するパネル前面部を有して内部に多数の光源が分散配置された前後方向に偏平なパネル本体に、それをパネル厚み方向で貫通するパネル貫通穴が備えられ、そのパネル貫通穴を通じて設置対象面側のスプリンクラーヘッドを室内に臨ませる状態で前記パネル本体を設置対象面に設置自在に構成されている点にある。
【０００７】
本構成によれば、扁平なパネル本体をパネル厚み方向に貫通するパネル貫通穴を通じて設置対象面側のスプリンクラーヘッドを室内に臨ませる状態でパネル本体を設置対象面に設置することができるので、パネル本体の設置予定位置にスプリンクラーヘッドが配置されていても、そのスプリンクラーヘッドの放水機能を損なうことなく、パネル本体を設置対象面に設置することができる。よって、設置対象面に設置する際にスプリンクラーヘッドを避ける必要がなく、スプリンクラーヘッドに設置位置を制限されずに設置対象面に設置することができる。
【０００８】
本発明の第２特徴構成は、前記パネル本体には、外枠部と、前記外枠部で囲われた内側領域の後方を覆う後面板部と、多数の前記光源が前面に取り付けられ、前記後面板部の前面に並べて配置される複数枚の光源板と、が備えられ、
前記光源板として、設置対象面側の前記スプリンクラーヘッドを挿通自在な挿通穴が貫通形成された穴有り光源板と、前記挿通穴が貫通形成されていない穴無し光源板とが備えられている点にある。
【０００９】
本構成によれば、後面板部の前面に並べて配置される複数枚の光源板として、穴有り光源板と穴無し光源板とが備えられている。穴有り光源板は、スプリンクラーヘッドを挿通自在な挿通穴を有するので、スプリンクラーヘッドを挿通穴に挿通させた状態で発光させることができる。そのため、穴有り光源板をパネル貫通部に対応する位置に配置することによりパネル貫通部を簡単且つ適切に構成することができる。
【００１０】
よって、後面板部の前面に複数枚の光源板を並べて配置するにあたり、設置対象面におけるスプリンクラーヘッドの位置と照明パネルの予定設置位置との関係に応じて、後面板部の前面に並べて配置される穴有り光源板と穴無し光源板の配置関係を選択することにより、そのパネル本体の予定設置位置に適した位置にパネル貫通穴を有するパネル本体を簡単且つ適切に構成することができる。したがって、設置対象面における照明パネルの設置位置の自由度を一層向上することができる。
【００１１】
本発明の第３特徴構成は、前記パネル本体には、前記外枠部で囲われた前記内側領域の前方を覆う状態で張設された光拡散性を有する光拡散シート、及び、前記光拡散シートの前方を覆う状態で張設された光拡散性を有し且つ前記パネル前面部を構成する前面シートが、前記パネル厚み方向に間隔を空けて前記パネル厚み方向の設定位置に位置する状態で前記外枠部に取り付けられ、
前記パネル本体における前記パネル貫通穴の配置箇所には、前記光拡散シート及び前記前面シートの夫々を前記パネル厚み方向の前記設定位置に保持自在なシート保持部材が備えられている点にある。
【００１２】
本構成によれば、外枠部の内側領域の後方を覆う後面板部の前面側に配設された光源の光を、外枠部の内側領域の前方を覆う状態で張設された光拡散シートにて拡散させながら前方に透過させ、その拡散された透過光を、光拡散シートの前方を覆う状態で張設された前面シートにて更に拡散させながら前方に透過させることで、後面板部の前面側に配設された光源の光を短い距離で効率良く拡散することができる。
更に、前面シートと光拡散シートとが、パネル厚み方向（前後方向）で間隔を空けて配置されているので、後方側の光拡散シートを拡散しながら透過した透過光を、前面シートと光拡散シートとの間の空間で距離を稼いで拡散性を向上させた上で、前面シートにて更に拡散させながら前方に透過させることができる。よって、後面板部の前面側に配設された光源の光を短い距離で一層効率良く拡散することができる。
したがって、外枠部の厚みを小さくして更なる薄型化を図る場合でも、光源の光がパネル前面部に輝点として写り込むのを回避しながら、パネル前面部を明るく発光させることができる。
【００１３】
しかも、パネル厚み方向に間隔を空けてパネル厚み方向の設定位置に位置する状態で外枠部に取り付けられた光拡散シート及び前面シートの夫々を、パネル本体におけるパネル貫通穴の配置箇所においてシート保持部材にてパネル厚み方向の設定位置に保持するので、外枠部から離れたパネル貫通穴の配置箇所で光拡散シート及び前面シートの夫々のパネル厚み方向の位置が設定位置からズレるのを防止することができる。
よって、パネル貫通穴を通じてスプリンクラーヘッドを室内側に臨ませることができながら、そのパネル貫通穴の配置箇所での両シートの位置ズレに起因して光源の光がパネル前面部に輝点として写り込むことを未然に防止することができる。
【００１４】
本発明の第４特徴構成は、前記外枠部、前記光拡散シート、前記前面シート、及び、前記シート保持部材が不燃材料にて構成されている点にある。
【００１５】
本構成によれば、パネル本体を不燃性を有するものとすることができ、火災等に対して高い安全性を有する照明パネルとすることができる。
【図面の簡単な説明】
【００１６】
【図１】照明パネルの正面図
【図２】照明パネルの断面図
【図３】照明パネルの設置状態を示す断面図
【図４】パネル貫通穴の配置例を示す図ンの断面図
【図５】（ａ）光拡散シート及び前面シートの基本構成を示す図、（ｂ）ガラスヤーンの横断面図
【図６】第１ガラスクロス及び第２ガラスクロスの仕様（構成）を示す表
【発明を実施するための形態】
【００１７】
本発明の照明パネルの実施形態を図面に基づいて説明する。
図１、図２に示すように、照明パネルＰは、光拡散性を有するパネル前面部を有して内部に多数のＬＥＤ素子（光源の一例）１Ａが密に分散配置された前後方向に偏平なパネル本体Ｐｂを備えて構成されている。
このパネル本体Ｐｂは、パネル外周部を構成する環状の外枠部３と、外枠部３で囲われた内側領域の後方（図２中の右方）を覆う後面板部２と、多数のＬＥＤ素子１Ａが前面に取り付けられて後面板部２の前面に並べて配置される複数枚の光源板１と、外枠部３の内側領域の前方（図２中の左方）を覆う状態で張設された透光性と光拡散性を有する光拡散シート４Ｂと、その光拡散シート４Ｂの前方を覆う状態で張設された透光性と光拡散性を有してパネル前面部（パネル発光面部）を構成する前面シート４Ａと、を備えて構成されている。
【００１８】
そのため、この照明パネルＰは、多数のＬＥＤ素子１Ａからの光を、後方側の光拡散シート４Ｂにて拡散させながら前方に透過させ、その拡散された透過光を、前方側の前面シート４Ａにて更に拡散させながら前方に透過させることで、多数のＬＥＤ素子１Ａからの光を短い距離で効率良く拡散させる形態で、前面シート４Ａにて構成されるパネル前面部を明るく発光させることができる。
【００１９】
また、本実施形態では、光拡散シート４Ｂと前面シート４Ａとは、パネル厚み方向（前後方向）で設定間隔を空けて隣接する状態で設けられており、後方側の光拡散シート４Ｂを拡散しながら透過した透過光が前面シート４Ａに到達するまでの距離を、前面シート４Ａと光拡散シート４Ｂとの間の後述する内部の第２空間Ｓ２で稼いで拡散性を向上させることができ、多数のＬＥＤ素子１Ａからの光を短い距離で一層効率良く拡散させることができる。
【００２０】
そして、図１、図２に示すように、この照明パネルＰは、パネル本体Ｐｂに、それをパネル厚み方向で貫通するパネル貫通穴９が備えられ、図３に示すように、そのパネル貫通穴９を通じて天井面Ｃ側（設置対象面側の一例）のスプリンクラーヘッド１０を室内Ｒに臨ませる状態（室内Ｒに露呈する状態）で天井面Ｃに設置自在に構成されている。本実施形態では、パネル貫通穴９は、スプリンクラーヘッド１０の直径よりも大きな直径の円形の貫通穴に構成され、パネル本体Ｐｂの正面視の略中央位置に配置されている。
【００２１】
例えば、図３に示すように、スプリンクラーヘッド１０は、天井材１４に形成された貫通穴１４Ａを通じて、放水部１０ａを有する先端側（図３中の下側）が天井面Ｃから室内Ｒ側に突出し、給水管Ｋ等が接続される基端側が天井裏に突出する状態で配置される。そして、照明パネルＰは、パネル本体Ｐｂのパネル貫通穴９にスプリンクラーヘッド１０の先端側を配置する姿勢で、スプリンクラーヘッド１０の先端側の放水部１０ａを覆い隠さずに室内Ｒに臨ませる状態で天井面Ｃに設置される。なお、図示例では、スプリンクラーヘッド１０の放水部１０ａの先端が、パネル本体Ｐｂのパネル前面部よりも下方に突出する状態となっている。
【００２２】
スプリンクラーヘッド１０の先端側には、外周側に突出する広幅の鍔部１０ｃを備えた円筒状のキャップ１０ｂが着脱自在に備えられる。このキャップ１０ｂをスプリンクラーヘッド１０の先端側に外嵌状態で取り付けることで、スプリンクラーヘッド１０の先端側とパネル貫通穴９との隙間を鍔部１０ｃにて室内Ｒ側から覆い隠し、照明パネルＰとスプリンクラーヘッド１０を見栄え良く設置することができる。ちなみに、照明パネルＰは、天井材１４に対してビスや接着剤等の適宜の取付手段で取り付けられる。
【００２３】
図１、図２に示すように、パネル本体Ｐｂには、後面板部２の前面に並べて配置される複数枚の光源板１として、スプリンクラーヘッド１０（図３参照）を挿通自在な挿通穴１１ａが貫通形成された穴有り光源板１１と、挿通穴１１ａが貫通形成されていない穴無し光源板１２とが備えられている。穴有り光源板１１は、後面板部２の前面におけるパネル貫通穴９の位置に対応する部位に配置され、穴無し光源板１２は、後面板部２の前面におけるパネル貫通穴９の位置に対応しない部位に配置される。
【００２４】
本実施形態では、図１に示すように、パネル本体Ｐｂの正面視の略中央位置の１箇所にパネル貫通穴９が備えられるのに対応して、後面板部２において、略中央位置に穴有り光源板１１が配置され、それ以外の部位に穴無し光源板１２が配置される。
ちなみに、パネル貫通穴９の位置や個数は、照明パネルＰの設置予定位置の状況等に応じて適宜に変更可能であり、例えば、図４（ａ）に示すように、パネル本体Ｐｂの正面視の端部側位置にパネル貫通穴９を設けたり、図４（ｂ）に示すように、パネル本体Ｐｂの正面視で隣接しない２箇所にパネル貫通穴９を設けることができる。
【００２５】
また、図１及び図２に示すように、パネル本体Ｐｂにおけるパネル貫通穴９の配置箇所には、パネル貫通穴９の内周面を構成し、且つ、光拡散シート４Ｂ及び前面シート４Ａの夫々をパネル厚み方向の設定位置に保持自在な筒状のシート保持部材１３が備えられている。そのため、パネル本体Ｐｂにパネル貫通穴９を適切に形成しながら、光拡散シート４Ｂ及び前面シート４Ａの夫々をパネル厚み方向の設定位置に適切に保持することができる。このシート保持部材１３は、パネル本体Ｐｂの内枠部としても機能する。
以下、照明パネルＰの各部の具体的構成について説明を加える。
【００２６】
（光源板）
図１に示すように、各光源板１は、穴有り光源板１１と穴無し光源板１２のいずれについても、上下方向及び左右方向に連設し易い矩形状に構成された小型の基板１Ｂの前面（前面側の一例）に、プリント配線等で電気接続された多数のＬＥＤ素子１Ａを密に分散配置して構成されている。
【００２７】
各基板１Ｂは、矩形状の一例として、例えば、一辺が基準となる寸法（例えば３０ｃｍや６０ｃｍ等）とされた正方形や長方形等の方形状に構成されている。このうち、穴有り光源板１１の基板１Ｂの略中央位置には、円形等の挿通穴１１ａが貫通形成されている。
穴有り光源板１１の基板１Ｂでは、円形等の挿通穴１１ａを避けてプリント配線等が施され、挿通穴１１ａの形成箇所以外に分散配置された多数のＬＥＤ素子１Ａを電気接続している。なお、穴有り光源板１１の基板１Ｂにおける挿通穴１１ａを形成する位置は適宜に変更可能である。
【００２８】
各光源板１には、電源部（図示省略）又は隣接する他の光源板１と電気接続可能な電気接続部（図示省略）が備えられている。複数枚の光源板１は、電気接続部を介して互いに電気接続された状態で後面板部２に取り付けられ、共通の電源部からの電力供給により発光するように構成されている。
【００２９】
多数のＬＥＤ素子１Ａは、所定の間隔を空けて上下方向及び左右方向に配列されている。ＬＥＤ素子１Ａの設置間隔（ピッチ）は、ＬＥＤ素子１Ａとして下記特性値を持つものを使用する場合、個々の必要光量の抑制と全体の消費電力の抑制との両面から１０ｍｍ〜２０ｍｍの範囲、例えば、上下方向の間隔を１３ｍｍ〜１７ｍｍ、左右方向の間隔を１５〜１９ｍｍとすることができる。なお、ＬＥＤ素子１Ａの厚み寸法は、０．５〜１．２ｍｍに設定されている。
【００３０】
ＬＥＤ素子１Ａの特定値（測定条件：ＩＦ＝６０ｍＡ）
順方向電圧（Ｖ）      ２．２〜  ４．０（代表値）
光束（ｌｍ）        ２２．０〜２５．０（代表値）
色温度（Ｋ）        ５０００〜６０００（代表値）
演色性                  ７０〜    ９０（代表値）
指向角度              １１０〜  １２０（代表値）
【００３１】
各基板１Ｂは、熱良導材の一例であるアルミニウム板（不燃材料の一例）にて構成され、前面（正面）に配設された多数のＬＥＤ素子１Ａの熱を後面側（背面側）に好適に放熱する。
【００３２】
（後面板部）
前記後面板部２は、パネル本体Ｐｂと略同一の外郭形状を有し、パネル本体Ｐｂの後面の全域を形成する板状に構成されている。後面板部２に取り付ける光源板１の枚数を選択して後面板部２の大きさ（面積）を調整することで、パネル前面部の大きさや形状の要求に対してフレキシブルに対応することができる。この後面板部２は、熱良導材の一例であるアルミニウム板（不燃材料の一例）にて構成され、その前面に配設された複数枚の光源板１からの熱を後面側に効率良く放熱することができる。
【００３３】
後面板部２におけるパネル貫通穴９の位置に対応する部位には、図２に示すように、円形等の挿通穴２ａが貫通形成されている。
ちなみに、後面板部２における光源板１が配置される全ての部位において、穴有り光源板１１が配置された場合に穴有り光源板１１の挿通穴１１ａの位置に対応する部位（つまり、パネル貫通穴９の位置に対応する部位）の全ての箇所に挿通穴２ａが貫通形成されていてもよい。このようにすれば、パネル本体Ｐｂにおいて、穴有り光源板１１を配置してパネル貫通穴９を形成する位置の変更等に容易に対応することができる。
【００３４】
（前面シート及び光拡散シート）
前面シート４Ａ及び光拡散シート４Ｂは、後述する基材としてのガラスクロスＧＣの仕様のみ相違し、その他の構成は同一であり、不燃性で透光性と光拡散性とを有するように構成されている。両シート４Ａ，４Ｂにおけるパネル貫通穴９の位置に対応する部位には、図２に示すように、円形等の挿通穴４ｃ、４ｄが貫通形成されている。
【００３５】
両シート４Ａ，４Ｂは、その基本構成として、図５（ａ）、（ｂ）に示すように、不燃性のガラスクロスＧＣを基材に備え、その基材の表裏の両面を、透光性を有する樹脂層Ｊにてコーティングして構成されている。ガラスクロスＧＣは、ガラスフィラメント（ガラス繊維）ｇｆの多数本を束ねたガラスヤーンＧＹを平織りや変形平織り等で織って構成されている。なお、図５（ｂ）では、便宜上、ガラスヤーンＧＹを構成するガラスフィラメントｇｆの一部を省略している。
樹脂層Ｊは、白色系顔料や防炎剤等を含む樹脂の層であり、ウレタン樹脂の層や塩化ビニル樹脂の層等の複数の樹脂の層にて構成することができる。
【００３６】
前面シート４Ａは、図６の上側の表に示すように、第１ガラスヤーンＧＹ１で織られた第１ガラスクロスＧＣ１を基材に備えて構成され、光拡散シート４Ｂは、図６の下側の表に示すように、第１ガラスヤーンＧＹ１よりも太い第２ガラスヤーンＧＹ２で織られた第２ガラスクロスＧＣ２を基材に備えて構成されている。ガラスヤーンＧＹの太さは、それの横断面積に相当し、ガラスフィラメントｇｆの太さ（横断面積）と集束本数とを乗じたものとすることができる。第２ガラスクロスＧＣ２の厚み寸法は第１ガラスクロスＧＣ１の厚み寸法よりも大きく、そのため、光拡散シート４Ｂの厚み寸法は前面シート４Ａの厚み寸法よりも大きく構成されている。
【００３７】
前面シート４Ａを構成する第１ガラスクロスＧＣ１は、４〜８μのガラスフィラメントｇｆの１５０〜２５０本を束ねて構成された第１ガラスヤーンＧＹ１が経糸及び緯糸として平織りや変形平織り等で織られ、経糸の織密度が５５〜７５本／２５ｍｍ且つ緯糸の織密度が５０〜９０本／２５ｍｍの織布として構成されている。この第１ガラスクロスＧＣ１としては、例えば、図６の上側の表に記載されたガラスクロスａやガラスクロスｂ等を好適に用いることができる。
【００３８】
光拡散シート４Ｂを構成する第２ガラスクロスＧＣ２は、８〜１０μｍのガラスフィラメントｇｆの３５０〜４５０本を束ねて構成された第２ガラスヤーンＧＹ２を経糸及び緯糸として平織りや変形平織り等で織られ、経糸の織密度が４０〜５５本／２５ｍｍ且つ緯糸の織密度が２５〜５０本／２５ｍｍの織布として構成されている。この第２ガラスクロスＧＣ２としては、例えば、図６の下側の表に記載されたガラスクロスｃやガラスクロスｄ等を好適に用いることができる。
【００３９】
前方側の前面シート４Ａを構成する第１ガラスヤーンＧＹ１として、第１ガラスクロスＧＣ１の表面（前面シート４Ａの表面）の凹凸が小さくて織り目も目立たないパネル前面部の形成に適した比較的細い（薄い）ガラスヤーンＧＹを用いることができ、パネル前面部の見栄えを向上することができる。また、前面シート４Ａに印刷等で画像を形成することができ、その場合に繊細な画像を形成することができる。
他方、後方側の光拡散シート４Ｂを構成する第２ガラスヤーンＧＹ２として、光の透過距離が大きくて乱反射による光拡散に適した比較的太い（厚い）ガラスヤーンＧＹを用いることができ、前面シート４Ａに比較的薄いガラスヤーンＧＹを用いることによる光拡散効果の低下を補完し、全体として良好な光拡散効果を得ることができる。更に、第２ガラスクロスＧＣ２の織り目と、第１ガラスクロスＧＣの織り目とが光の透過方向で重なるのを抑制し、より均一な光拡散効果を得ることができる。
【００４０】
ちなみに、図２に示すように、後方側の光拡散シート４Ｂと後面板部２との間に、当該光拡散シート４Ｂと後面板部２と外枠部３とシート保持部材１３とで第１空間Ｓ１が略密封状態で区画形成され、後方側の光拡散シート４Ｂと前方側の前面シート４Ａの間に、当該光拡散シート４Ｂと前面シート４Ａと外枠部３とシート保持部材１３とで第２空間Ｓ２が略密封状態で区画形成されている。
【００４１】
両シート４Ａ，４Ｂの外周縁部４ａ，４ｂは、図２に示すように、後述するシート取付溝５に圧入状態で差し込み可能な取付部位として、弾性材８ａと硬質の心材８ｂとを積層し、その積層体を内包する状態に巻き付けて構成されている。両シート４Ａ，４Ｂの外周縁部４ａ，４ｂは、パネル厚み方向（図２中では左右方向）では、パネル厚み方向に延びる心材８ｂの硬さで変形が抑制され、それの直交方向（図２中では上下方向）では、弾性材８ａの圧縮変形に伴って変形可能とされている。両シート４Ａ，４Ｂの外周縁部４ａ，４ｂが、後述するシート取付溝５に圧入状態で差し込まれて取り付けられることで、第１空間Ｓ１及び第２空間Ｓ２が略密封状態となる。
【００４２】
本実施形態では、前面シート４Ａの取付部位（外周縁部４ａ）のパネル厚み方向の幅は、後述する外側シート取付溝５Ａの溝深さよりも大に構成され、光拡散シート４Ｂの取付部位（外周縁部４ｂ）のパネル厚み方向の幅は、後述する内側シート取付溝５Ｂの溝深さよりも大に構成されている。また、前面シート４Ａの取付部位（外周縁部４ａ）のパネル厚み方向の幅は、光拡散シート４Ｂの取付部位（外周縁部４ｂ）のパネル厚み方向の幅よりも大に構成されている。
【００４３】
光拡散シート４Ｂの取付部位（外周縁部４ｂ）のパネル厚み方向の幅を調整することで、光拡散シート４Ｂをパネル厚み方向の設定位置に調整し、第１空間Ｓ１の奥行き寸法（パネル厚み方向の長さ）を設定奥行き寸法Ｈ１に調整することができる。
前面シート４Ａの取付部位（外周縁部４ａ）のパネル厚み方向の幅を調整することで、前面シート４Ａをパネル厚み方向の設定位置に調整することができる。
前面シート４Ａの取付部位（外周縁部４ａ）のパネル厚み方向の幅と、光拡散シート４Ｂの取付部位（外周縁部４ｂ）のパネル厚み方向の幅の差が、第２空間Ｓ２の奥行き寸法（パネル厚み方向の長さ）となるので、両取付部位（外周縁部４ａ，４ｂ）の相体的な前パネル厚み方向の幅を調整することで、第２空間Ｓ２の奥行き寸法を設定奥行き寸法Ｈ２に調整することができる。なお、両シート４Ａ，４Ｂの取付部位（外周縁部４ａ，４ｂ）のパネル厚み方向の幅の調整は、硬質の心材８ｂのパネル厚み方向の幅の調整等により行うことができる。
【００４４】
（外枠部）
前記外枠部３は、図２に示すように、不燃材料の一例であるアルミニウム製の４本の同一断面形状の型材を後面板部２の外周を覆う四角形状に組み付けて構成されている。この外枠部３には、両シート４Ａ，４Ｂの外周縁部４ａ，４ｂを個別に取り付け可能な前方開放の複数のシート取付溝５（シート取付部の一例）と、後面板部２が取り付け可能な内方開放の後面板取付溝６（後面板取付部の一例）とが一体的に備えられている。
【００４５】
複数のシート取付溝５は、前方が開放された凹状の横断面形状で外枠部３の延在方向に延び、両シート４Ａ，４Ｂの外周縁部４ａ，４ｂを前方から内部に差し込んで係合させることで、両シート４Ａ，４Ｂの外周縁部４ａ，４ｂを取り付け可能に構成されている。複数のシート取付溝５として、内外方向で相対的に内側となる内側シート取付溝５Ｂと、内外方向で相対的に外側となる外側シート取付溝５Ａが備えられている。
【００４６】
外枠部３には、前方に向けて突出する第１〜第３板部３ａ〜３ｃが、内外方向で間隔を空けて設けられており、最も外側の第１板部３ａとその内側の第２板部３ｂとの対向面間に有底の外側シート取付溝５Ａが形成され、第２板部３ｂと最も内側の第３板部３ｃとの対向面間に有底の内側シート取付溝５Ｂが形成されている。
【００４７】
外側シート取付溝５Ａの内側端を構成する第２板部３ｂの先端位置（前端位置）は、内側シート取付溝５Ｂの内側端を構成する第３板部３ｃの先端位置（前端位置）よりも前方（図２中で左方）に配置されている。また、本実施形態では、第１板部３ａの先端位置（前端位置）は、第２板部３ｂの先端位置（前端位置）よりも僅かに前方に配置されている。
【００４８】
なお、第２板部３ｂの先端位置（前端位置）は、外側シート取付溝５Ａに取り付ける前面シート４Ａの位置を、それよりも前方側とするための位置規制部として機能させることができ、第３板部３ｃの先端位置（前端位置）も、内側シート取付溝５Ｂに取り付ける光拡散シート４Ｂの位置を、それよりも前方側とするための位置規制部として機能させることができる。
【００４９】
例えば、前面シート４Ａの取付部位（外周縁部４ａ）のパネル厚み方向の幅を、外側シート取付溝５Ａの溝深さよりも小にし、前面シート４Ａの取付部位（外周縁部４ａ）の全体を外側シート取付溝５Ａに圧入して取り付ければ、前面シート４Ａの後面が第２板部３ｂの先端位置（前端位置）に接当する規定の位置に前面シート４Ａを配置することができる。当該規定の位置を、前面シート４Ａのパネル厚み方向の設定位置としてもよい。
同様に、光拡散シート４Ｂの取付部位（外周縁部４ｂ）のパネル厚み方向の幅を、内側シート取付溝５Ｂの溝深さよりも小にし、光拡散シート４Ｂの取付部位（外周縁部４ｂ）の全体を内側シート取付溝５Ｂに圧入して取り付ければ、光拡散シート４Ｂの後面が第３板部３ｃの先端位置（前端位置）に接当する規定の位置に光拡散シート４Ｂを配置することができる。当該規定の位置を、光拡散シート４Ｂのパネル厚み方向の設定位置としてもよい。
ちなみに、前面シート４Ａの取付部位（外周縁部４ａ）のパネル厚み方向の幅と、光拡散シート４Ｂの取付部位（外周縁部４ｂ）のパネル厚み方向の幅とを、内側シート取付溝５Ｂの溝深さ（浅い側の溝深さ）よりも小となる同一幅に揃えてもよい。
【００５０】
このようにすれば、第１空間Ｓ１の設定奥行き寸法Ｈ１を、第３板部３ｃの突出長さ（パネル厚み方向の長さ）に設定することができ、第２空間Ｓ２の設定奥行き寸法Ｈ２を、第２板部３ｂの突出長さと第３板部３ｃの突出長さとの差に設定することができる。
すなわち、両シート４Ａ，４Ｂのパネル厚み方向での設定位置、第１空間Ｓ１の設定奥行き寸法Ｈ１、第２空間Ｓ２の設定奥行き寸法Ｈ２を、外枠部３の形状にて決定される規定値に設定することができる。
【００５１】
後面板取付溝６は、内方に開放する凹状の横断面形状で外枠部３の延在方向に延び、後面板部２の外周縁部を内外方向から内部に差し込んで係合させることで、後面板部２の外周縁部を取り付け可能に構成されている。
【００５２】
外枠部３には、内方に向けて突出する第４、第５板部３ｄ，３ｅがパネル厚み方向で間隔を空けて設けられおり、それら第４、第５板部３ｄ，３ｅとの対向面間に有底の後面板取付溝６が形成されている。本実施形態では、第５板部３ｅの先端位置（内端位置）は、第４板部３ｄの先端位置（内端位置）よりも僅かに内方（図２中で下方）に配置されている。
【００５３】
なお、外枠部３には、取付金具等を用いて照明パネルＰを被取付部に取り付ける場合等に利用される後方開放の後方側取付溝７（後方側取付部の一例）が一体的に備えられている。後方側取付溝７は、後方が開放された横断面形状で外枠部３の延在方向に延びている。後方側取付溝７は、入り口の幅よりも内部の幅が広く形成されたアリ溝状に構成されている。
【００５４】
（シート保持部材）
前記シート保持部材１３は、図１〜図３に示すように、パネル本体Ｐｂにおけるパネル貫通穴９の周縁部に配置される金属製（不燃材料製の一例）の部材であり、パネル貫通穴９の内周面を形成するとともに、光拡散シート４Ｂ及び前面シート４Ａの夫々をパネル厚み方向の設定位置に保持するように構成されている。
【００５５】
本実施形態では、シート保持部材１３が、穴有り光源板１１の前面と光拡散シート４Ｂの後面との間に配置される円筒状の第１シート保持部材１３Ａと、光拡散シート４Ｂの前面と前面シート４Ａの後面との間に配置されるリング状の第２シート保持部材１３Ｂとから構成されている。
【００５６】
図２に示すように、円筒状の第１シート保持部材１３Ａは、穴有り光源板１１の前面と光拡散シート４Ｂの後面との間に配置され、光拡散シート４Ｂをパネル厚み方向の設定位置に保持する状態で、光拡散シート４Ｂの挿通穴４ｃの周縁部をパネル本体Ｐｂに固定自在に構成されている。この第１シート保持部材１３Ａは、パネル厚み方向に沿う軸芯方向の長さ寸法が、第１空間Ｓ１のパネル厚み方向の寸法である設定奥行き寸法Ｈ１と同一に構成されている。
【００５７】
第１シート保持部材１３Ａは、その軸芯方向の両端に、外周側に鍔状に突出する取り付け片１３ａ，１３ｂが形成されている。そして、後端側の取り付け片１３ａの端面が、穴有り光源板１１の前面の挿通穴１１ａの周縁部に対して接着剤等の固定手段にて固定される。また、前端側の取り付け片１３ｂの端面には、光拡散シート４Ｂの後面（背面）の挿通穴４ｃの周縁部が接着剤等の固定手段にて固定される。
【００５８】
リング状の第２シート保持部材１３Ｂは、光拡散シート４Ｂの前面と前面シート４Ａの後面との間に配置され、光拡散シート４Ｂと前面シート４Ａとのパネル厚み方向での間隔を、第２空間Ｓ２の設定奥行き寸法Ｈ２に対応する設定間隔に保持することにより、前面シート４Ａをパネル厚み方向の設定位置に保持する状態で、前面シート４Ａの挿通穴４ｄの周縁部をパネル本体Ｐｂに固定自在に構成されている。この第２シート保持部材９Ｂは、パネル厚み方向に沿う軸芯方向の長さ寸法（厚み寸法）が、第２空間Ｓ２のパネル厚み方向の寸法である設定奥行き寸法Ｈ２と同一に構成されている。
【００５９】
そして、リング状の第２シート保持部材１３Ｂは、後端側の端面が、光拡散シート４Ｂの後面（背面）の挿通穴４ｃの周縁部が接着剤等の固定手段にて固定され、前端側の端面に、前面シート４Ａの後面（背面）の挿通穴４ｃの周縁部が接着剤等の固定手段にて固定される。
このようにして、シート保持部材１３は、パネル本体Ｐｂにおけるパネル貫通穴９の周縁部において、光拡散シート４Ｂ及び前面シート４Ａの夫々をパネル厚み方向の設定位置に適切に保持している。
【００６０】
〔別実施形態〕
本発明の他の実施形態について説明する。尚、以下に説明する各実施形態の構成は、それぞれ単独で適用することに限らず、他の実施形態の構成と組み合わせて適用することも可能である。
【００６１】
（１）前述の実施形態では、照明パネルＰが平板状に構成されている場合を例に示したが、円弧状等に湾曲する曲面板状に構成されていてよい。
【００６２】
（２）前述の実施形態では、前面シート４Ａの後方に１枚の光拡散シート４Ｂが備えられている場合を例に示したが、２枚以上の光拡散シート４Ｂが備えられていてもよい。また、前面シート４Ａの後方に１枚も光拡散シート４Ｂが備えられていなくてもよい。
【００６３】
（３）前述の実施形態では、複数枚の光源板１が、後面板部２の前面に並べて配置される場合を例に示したが、例えば、後面板部２を省略し、複数枚の光源板１を天井面Ｃ等の設置対象面に並べて配置するようにしてもよい。
【００６４】
（４）前述の実施形態では、シート保持部材１３が、円筒状の第１シート保持部材１３Ａとリング状の第２シート保持部材１３Ｂから構成されている場合を例に示したが、例えば、複数のシート取付溝５を有する外枠部３を構成する型材と同一断面の型材を、パネル貫通穴９の内周面を覆う形状（例えば、四角形状）に組み付けて構成されていてもよい。
その場合、シート保持部材１３を構成する型材の複数のシート取付溝５の夫々に前面シート４Ａ及び光拡散シート４Ｂの夫々を取り付けることで、光拡散シート４Ｂ及び前面シート４Ａの夫々をパネル厚み方向の設定位置に保持することができる。
【００６５】
（５）前述の実施形態では、光源として、ＬＥＤ素子１Ａを例に示したが、勿論、ＬＥＤ素子以外のものであってもよい。
【００６６】
（６）前述の実施形態では、前面シート４Ａと光拡散シート４Ｂとが、前後方向で間隔を空けて配置されている場合を例に示したが、前面シート４Ａと光拡散シート４Ｂとが、前後方向で間隔を空けずに積層された状態で配置されていてもよい。
【００６７】
（７）前述の実施形態では、光拡散シート４Ｂを構成する第２ガラスヤーンＧＹ２が、前面シート４Ａを構成する第１ガラスヤーンＧＹ１よりも太く構成されている場合を例に示したが、第１ガラスヤーンＧＹ１と第２ガラスヤーンＧＹ２の太さ関係はこれに限らない。例えば、第２ガラスヤーンＧＹ２が、第１ガラスヤーンＧＹ１と同等の太さ又はそれよりも細く構成されていてもよい。
【００６８】
（８）前面シート４Ａや光拡散シート４Ｂは、前述の実施形態で示したガラスクロス（ＧＣ１，ＧＣ２）に限らず、光拡散性を有する各種の素材にて構成することができる。
【００６９】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００７０】
Ｐ        照明パネル
Ｐｂ      パネル本体
Ｒ        室内
Ｃ        天井面（設置対象面）
１        光源板
１Ａ      ＬＥＤ素子（光源）
２        後面板部
３        外枠部
４Ａ      前面シート
４Ａ      シート
４Ｂ      光拡散シート
４Ｂ      シート
９        パネル貫通穴
１０      スプリンクラーヘッド
１１      穴有り光源板
１２      穴無し光源板
１１ａ    挿通穴
１２      穴無し光源板
１３      シート保持部材
【図１】
2020187985.tif 000003
【図２】
2020187985.tif 000004
【図３】
2020187985.tif 000005
【図４】
2020187985.tif 000006
【図５】
2020187985.tif 000007
【図６】
2020187985.tif 000008